(57)【要約】  【課題】郵便受函に投函される小型、薄物のハガキ、チラシ等が郵便受函の底  部にへばりつくことなく、取出しやすい構造にした郵便受函を提供することを  その課題とする。  【解決手段】郵便受函は、郵便物収納室の前面上部に投函口を、郵便物収納室の後面に取出用開口を有する郵便受函の箱部底面を郵便物収納室前面部の下部から、取出用開口に対し上り傾斜面を備えた底部を設けたものである。または、郵便受函は、郵便物収納室の前面上部に投函口を、郵便物収納室の後面に取出用開口を有する郵便受函の郵便物収納室部の底部に、箱前面部の下部から取出用開口に対し上り傾斜を有する傾斜板を取り外し自在に設けたものである。【選択図】図２
2006198331.tif 000002
【特許請求の範囲】
【請求項１】
郵便物収納室の前面上部に投函口を、郵便物収納室の後面に取出用開口を有する郵便受函の箱部底面を郵便物収納室前面部の下部から、取出用開口に対し上り傾斜面を備えた底部を設けたことを特徴とする郵便受函。
【請求項２】
郵便物収納室の前面上部に投函口を、郵便物収納室の後面に取出用開口を有する郵便受函の郵便物収納室部の底部に、箱前面部の下部から取出用開口に対し上り傾斜を有する傾斜板を取り外し自在に設けたことを特徴とする郵便受函。
【請求項３】
上記郵便受函の郵便物収納室部の底部又は傾斜板上面に成人の指が入る円弧状の凹状溝を、郵便物の投函口に対し複数本並行方向に設けたことを特徴とする特許請求範囲第１項ないし第２項いずれか記載の郵便受函。
【請求項４】
上記郵便受函の郵便物収納室部の底部又は傾斜板上面に、鋸歯状溝を郵便物の投函口に対し複数本並行方向に設けたことを特徴とする特許請求範囲第１項ないし第２項いずれか記載の郵便受函。
【請求項５】
上記郵便受函の郵便物収納室部の底部又は傾斜板上面に、成人の指が入る円弧状の凹状溝を、郵便物の投函口に対し複数本直交方向に設けたことを特徴とする特許請求範囲第１項ないし第２項いずれか記載の郵便受函。
【請求項６】
上記郵便受函の郵便物収納室部の底部又は傾斜板上面に、三角状凸条を郵便物の投函口に対し複数本直交方向に設けたことを特徴とする特許請求範囲第１項ないし第２項いずれか記載の郵便受函。
【発明の詳細な説明】
【技術分野】
【０００１】
本発明は投函された郵便物特に小型の物あるいは薄物の郵便物が取出し易く又底部にへばりつかない郵便受函に関するものである。
【背景技術】
【０００２】
従来、郵便受函の底部は一般に平坦に形成されている。この場合郵便物の中でも小型の物あるいは薄型の物は水平に投函されると底部にへばりつくことがあり、この取出しに手間がかかることがあり、これを解決するために各種の提案が為されている。
【特許文献１】実用新案登録番号第３０４３７１４号（第２頁第１図）
【特許文献２】特開２００２―３０６３１３号公報(第３頁第１図)
【発明の開示】
【発明が解決しようとする課題】
【０００３】
上記特許文献１おける郵便受函は本願添付の図７に示した如く、投函口がある郵便物収納室前面部の下部から後面部に向かって下り勾配の底板を形成したもので、投函対象の授受が確実に行われかつ環境の美観維持を図ることが出来、郵便物の盗難の恐れがない物であるが、全体を斜めに形成しなければならず取付けが困難であると共に手の方向と郵便物の方向が異なるので取出しにくいものである。本発明はこれに対して郵便物収納室の前面部の下部から取出用開口に向かって上りの傾斜面を設けたもので取出しを容易にする郵便受函を提供することをその課題とする。
【０００４】
特許文献２における郵便箱は、本願添付の図８に示した如く、郵便物収納室の底部の上に波板を設けることで郵便物が底部にへばりつかないようにしたものであるが、本発明は前面部の下部から取出用開口に向かって上り傾斜面を設けたものでより一層郵便物の取出しを容易にした郵便受函を提供することを課題とする。
【課題を解決するための手段】
【０００５】
上記課題を解決するために、本発明に係る郵便受函の第一の特徴構成は、請求項１に記載した如く、郵便物収納室の前面上部に投函口を、郵便物収納室の後面に取出用開口を有する郵便受函の箱部底面を郵便物収納室前面部の下部から、取出用開口に対し上り傾斜面を備えた底部を設けた点にある。
【０００６】
同第二の特徴構成は、請求項１ないし請求項２に記載した如く、上記の特徴構成に代えて、郵便物収納室の前面上部に投函口を、郵便物収納室の後面に取出用開口を有する郵便受函の郵便物収納室部の底部に、箱前面部の下部から取出用開口に対し上り傾斜を有する傾斜板を取り外し自在に設けた点にある。
【０００７】
同第三の特徴構成は請求項３に記載した如く、上記郵便受函の郵便物収納室部の底部又は傾斜板上面に成人の指が入る円弧状の凹状溝を、郵便物の投函口に対し複数本並行方向に設けた点にある。
【０００８】
同第四の特徴構成は、請求項４に記載した如く、上記郵便受函の郵便物収納室部の底部又は傾斜板上面に、鋸歯状溝を郵便物の投函口に対し複数本並行方向に設けた点にある。
【０００９】
同第五の特徴構成は、請求項５に記載した如く、上記郵便受函の郵便物収納室部の底部又は傾斜板上面に、成人の指が入る円弧状の凹状溝を、郵便物の投函口に対し複数本直交方向に設けた点にある。
【００１０】
同第六の特徴構成は、請求項６に記載した如く、上記郵便受函の郵便物収納室部の底部又は傾斜板上面に、三角状凸条を郵便物の投函口に対し複数本直交方向に設けた点にある。
【発明の効果】
【００１１】
請求項１に記載された郵便受函は前記構成であり、従来の郵便受函では郵便物の取出用開口に立上がり部が有り底面との間に距離が有るために取出しにくい点がある。これに対し請求項１の発明では取出用開口と底面との距離が無いため手の方向がそのまま郵便物に当接するので取出しがし易く、かつ前面部下部から取出用開口に対し上がり傾斜の底部を設けているので投入された郵便物が取出し用開口から飛び出すことはない。
【００１２】
請求項２に記載された郵便受函は前記構成であり、請求項１の効果に加え傾斜板が取り外し自在に設けられたものであるので、既存の郵便受函に応用することも可能であるし、汚れが付着しても取り外して洗浄することも出来る。
【００１３】
請求項３に記載された郵便受函は前記構成であるから、請求項１ないし２の効果に加えハガキやチラシなどの厚みのない郵便物であっても成人の指が入る円弧状の凹条溝が複数有るため、指で郵便物を底部から掬い上げて取出すことが可能である。
【００１４】
請求項４に記載された郵便受函は前記構成であるから、請求項１ないし２の効果に加え郵便物が底面に接触する面積が小さく、より掬い上げて取出すことが容易となる。
【００１５】
請求項５に記載された郵便受函は前記構成であるから、請求項１ないし２の効果に加え郵便物を前方に押しスムースに押し出すことが出来る。
【００１６】
請求項６に記載された郵便受函は前記構成であるから、請求項１ないし２の効果に加え郵便物は底部から浮上した状態になるので郵便物の端部を持ち易く、又上下から指で郵便物を挟むことが出来る効果がある。
【発明を実施するための最良の形態】
【００１７】
以下、本発明の実施形態について図面を参照して、詳細に説明する。図１ないし図６は本発明に係る郵便受函１の実施例を示す。図１は郵便受函１を外壁２に設置された状態を示している。郵便受函１は外壁２に投函口１１が設けられており、郵便物収納室１５の上面１２は外壁２の内面より後方に突出して形成され、その端部にはヒンジ１３を介して取出用扉１４が設けられている。
【００１８】
一方郵便受函１は外壁２の裏面に箱型の郵便物収納室１５が形成されており郵便物収納室１５の底部１６は投函口１１から取出用開口１７に向かって上り傾斜となっている。これらの投函口１１とそれを取り囲む投函用開口枠１８、上面１２、取出用扉１４、郵便物収納室１５等はアルミ、カラー鋼板あるいは合成樹脂などを適宜組み合わせて構成されている。
【００１９】
図２に示す状態は箱型の郵便物収納室１５内に断面三角形状の傾斜を有しあるいは上面が傾斜面である台形状の傾斜板３を取外し自在に配した実施例を示している。この場合郵便物収納室１５の底部１６は平面であり傾斜板３は取出用開口１７から前方に向かって下るようになるので郵便物を取り出す場合、手の進行方向に沿って曲げることなく手を入れることができる。傾斜板３の大きさは郵便物収納室１５の底部１６と同形状でその高さは取出用開口１７の下部の高さとほぼ等しく形成されている。
【００２０】
図３ないし図６では底板１６又は傾斜板３に設けた凹状溝４、鋸歯状溝５あるいは三角状凸条６を示している。図３に示す物は凹状溝４が投函口１１と平行に設けられたものであり、図４は鋸歯状溝５の凹凸を投函口１１と平行に設けられたものである。凹状溝４の大きさはほぼ成人の指が入る円弧状であり、複数本の凹状溝４が一定間隔で複数本形成されている。鋸歯状溝５の場合もほぼ一定間隔で複数本形成されている。
【００２１】
図５に示すものは凹状溝４が投函口１１とほぼ直交する様に複数本設けたものであり、図６に示すものは鋸歯状溝５に代えて、山型の三角状凸条６を複数本投函口とほぼ直交する様に形成された物である。
【００２２】
この図３ないし図６に示した凹条溝ないし凸条はいずれもハガキ等の薄い郵便物を取り易くするものであり、郵便受函１の底部１６にあるいは底部１６の上に配される傾斜板３に設けられたものであり、いずれも郵便物を取出し易くする効果を発揮する。このうち鋸歯状溝５及び山型の三角状凸条６は郵便物が底部と接触する面積が小さいので、降雨時に配達され万一濡れた場合にも郵便物収納室１５の底部１６にへばりつかないので郵便物を取出し易くしたものである。
【００２３】
傾斜板３を用いる場合、軽量化を図るため合成樹脂、アルミ等の押出型材を使用するのがが好ましく、又底板１６に設けた凹状溝４あるいは鋸歯状溝５や三角状凸条６はリブと同様底板１６を強化するものである。
【図面の簡単な説明】
【００２４】
【図１】本発明に係る郵便受函で、郵便物収納室の底板を前面部の下部から取出用開口に対し上り傾斜にした時の断面図。
【図２】本発明に係る郵便受函で、郵便物収納室の底板上に側面が概略三角形状の傾斜板を配したときの断面図。
【図３】傾斜板に設けた複数の凹状溝を示す斜視図。
【図４】傾斜板に設けた鋸歯状溝を示す斜視図。
【図５】傾斜板に設けた投函口に直交する凹状溝を示す斜視図。
【図６】傾斜板に設けた投函口に直交する山型の三角状凸条を示す斜視図。
【図７】従来例１における前面部の下部から後面部に向かって下り傾斜をした郵便受函の断面図。
【図８】従来例２における郵便箱の内面底部に波板を設けた郵便箱の斜視図。
【符号の説明】
【００２５】
１      郵便受函                                                      
１１    投函口
１２    郵便物収納室の上面
１３    ヒンジ
１４    取出用扉
１５    郵便物収納室
１６    郵便物収納室の底部
１７    取出用開口
１８    投函用開口枠
２      外壁
３      傾斜板
４      凹状溝
５      鋸歯状溝
６      三角状凸条
【図１】
2006198331.tif 000003
【図２】
2006198331.tif 000004
【図３】
2006198331.tif 000005
【図４】
2006198331.tif 000006
【図５】
2006198331.tif 000007
【図６】
2006198331.tif 000008
【図７】
2006198331.tif 000009
【図８】
2006198331.tif 000010